(57)【特許請求の範囲】
【請求項１】
光ディスクに記録されている曲の記録開始位置情報であるＴＯＣ（テーブル・オブ・コンテンツ）情報を読み出し、曲の頭出し動作を行う光ディスク再生装置において、
前記ＴＯＣ情報の曲番号を単位時間ごとにビット単位で記憶し、ビット単位で記憶された前記ＴＯＣ情報を用いて、曲の頭出し動作を行うことを特徴とする光ディスク再生装置。
【請求項２】
前記単位時間は１分であることを特徴とする請求項１に記載の光ディスク再生装置。
【請求項３】
前記単位時間は３０秒であることを特徴とする請求項１に記載の光ディスク再生装置。
【請求項４】
光ディスクに記録されている曲の記録開始位置情報であるＴＯＣ（テーブル・オブ・コンテンツ）情報を読み出し、曲の頭出し動作を行う光ディスク再生装置において、
前記ＴＯＣ情報の曲番号を単位トラック数ごとにビット単位で記憶し、ビット単位で記憶された前記ＴＯＣ情報を用いて、曲の頭出し動作を行うことを特徴とする光ディスク再生装置。
【請求項５】
光ディスクを回転駆動する回転駆動手段と、
前記光ディスクに記録されている記録情報を読み取る光ピックアップと、
前記光ピックアップを前記光ディスク上の所望の位置に移動させる中央処理装置と、
前記記録情報に含まれるＴＯＣ（テーブル・オブ・コンテンツ）情報を記憶する記憶媒体と、
からなる光ディスク再生装置であって、
前記中央処理装置は、前記ＴＯＣ情報の曲番号を単位時間ごとにビット単位で前記記憶媒体に記憶し、前記ＴＯＣ情報に基づいて、前記光ピックアップを移動させ、曲の頭出し動作を行うものである光ディスク再生装置。
【請求項６】
光ディスクに記録されている曲の記録開始位置情報であるＴＯＣ（テーブル・オブ・コンテンツ）情報の曲番号を単位時間ごとにビット単位で記憶する過程と、
前記ＴＯＣ情報を読み出す過程と、
読み出した前記ＴＯＣ情報に基づいて、曲の頭出し動作を行う過程と、
を備える光ディスク再生方法。
【請求項７】
光ディスクに記録されている曲の記録開始位置情報であるＴＯＣ（テーブル・オブ・コンテンツ）情報の曲番号を単位トラック数ごとにビット単位で記憶する過程と、
前記ＴＯＣ情報を読み出す過程と、
読み出した前記ＴＯＣ情報に基づいて、曲の頭出し動作を行う過程と、
を備える光ディスク再生方法。
【請求項８】
曲番号カウンタに光ディスクの開始曲番号を設定する過程と、
分カウンタをリセットする過程と、
ＴＯＣ（テーブル・オブ・コンテンツ）情報の記憶領域であるビット列を０で埋める過程と、
ビット列の位置を示すビットポインタをリセットする過程と、
前記ＴＯＣ情報の曲番号と前記曲番号カウンタとを比較し、双方が一致した場合には、前記ビットポインタをインクリメントする過程と、
前記ＴＯＣ情報の分情報と前記分カウンタとを比較し、双方が一致した場合には、前記ビット列に１を設定し、その単位時間内に曲があることを示す過程と、
前記曲番号カウンタをインクリメントする過程と、
を備える光ディスクの再生方法。
【請求項９】
選曲すべき曲番号が与えられたときに、光ディスクの開始曲番号を曲番号カウンタに設定する過程と、
分カウンタに０分を示す０を設定する過程と、
ビット列の位置を示すビットポインタを０にする過程と、
前記ビットポインタをインクリメントし、前記ビットポインタにより示されるビット列の内容を確認する過程と、
前記ビット列が単位時間内に曲が存在することを示している場合には、選曲番号と前記曲番号カウンタが示す曲番号とを比較する過程と、
前記選曲番号と前記曲番号カウンタ示す曲番号とが一致した場合、その時点における前記分カウンタの内容を選曲した曲に対するＴＯＣ（テーブル・オブ・コンテンツ）情報として取り出す過程と、
を備える光ディスクの再生方法。
【発明の詳細な説明】
【０００１】
【発明の属する技術分野】
本発明は、ＣＤなどの記録媒体に記録されている複数の曲の中から所定の一曲の先頭にアクセスする光ディスク再生装置及び光ディスク再生方法に関する。
【０００２】
【従来の技術】
一般に、光ディスク再生装置において、光ディスクに記録されている複数の曲の中の１つの曲の先頭にアクセスする場合は、曲の開始位置を示すＴＯＣ（テーブル・オブ・コンテンツ）情報を予め光ディスクからマイクロコンピュータのＲＡＭに記憶させておき、このＴＯＣ情報に基づいてアクセスを行う。
【０００３】
目標曲の先頭へのアクセスは、目標曲のＴＯＣ情報と現在の再生位置とから光ピックアップの移動距離を求め、サーボ制御により、光ピックアップをこの移動距離だけ移動させることにより行う。
【０００４】
光ピックアップの送り機構には構造上の移動誤差があるため、光ピックアップの移動を何回か繰り返し、目標の位置を見つける。この光ピックアップの移動回数を減らし、短時間で所定の位置に移動するためには、多くのＴＯＣ情報を記憶する必要があるが、マイクロコンピュータのＲＡＭ容量が限られていることと、機構上の移動誤差とを考慮し、「フレーム」および「秒」の下位桁の情報は一般的には使用しない。
【０００５】
マイクロコンピュータの限られたＲＡＭ領域を有効に利用する方法として、特許第２９５５４９９号公報（特開平９−１０６６５９号公報）は、曲数の少ないＣＤに対しては全ＴＯＣ情報を記憶し、曲数が多いＣＤに対しては上位情報のみを記憶する方法を提案している。
【０００６】
同公報に提案されている方法において、曲数の多いときのＲＡＭの構成を図７に、曲数の少ないときのＲＡＭの構成を図８にそれぞれ示す。
【０００７】
図７及び８に示すように、ＴＯＣ領域２０には、トラックナンバー領域２１、曲番号領域２２、分データ領域２３、秒データ領域２４、フレームデータ領域２５その他の領域が含まれている。これらの領域のデータは各８ビットで記憶されている。
【０００８】
また、図７に示すように、曲数の多いときにはＲＡＭは９９曲分のＴＯＣ情報のうち分データのみを記憶する。あるいは、図８に示すように、曲数の少ないときにはＲＡＭは３３曲分のＴＯＣ情報のうち分データ、秒データ及びフレームデータを記憶する。
【０００９】
【発明が解決しようとする課題】
しかしながら、この方法によれば、ＲＡＭ上に最低９９バイトのＴＯＣ領域を確保しなければならず、ＲＡＭ容量の小さなマイクロコンピュータでは実現できない。
【００１０】
また、ＣＤチェンジャーなどの複数のＣＤを扱うシステムにおいては、多くのＴＯＣ領域が必要となり、全てのＣＤのＴＯＣ情報を記憶することができなかった。
【００１１】
このため、ＣＤを入れ替えるたびに、各ＣＤのＴＯＣ情報を読み込む処理を行っていた。
【００１２】
また、特開平６−１９５９４５号公報は、メモリの容量を増やすことなく、所望の曲を選曲することができる光ディスク再生方法を提案している。
【００１３】
この方法においては、約３０バイトのＴＯＣメモリを用い、分、秒及びフレームについての正確なＴＯＣ情報を格納し、このＴＯＣ情報に基づいて、選曲を行う。
【００１４】
しかしながら、この光ディスク再生方法を実施するためには、光ディスクの音声データを記憶しておくためのショックプルーフコントローラとＤＲＡＭとが必要であるが、ショックプルーフコントローラとＤＲＡＭの双方を追加すると、ＴＯＣ情報用のメモリを増設する場合よりも、製品コストが上昇してしまい、実用的ではない。
【００１５】
また、特開平４−２８６０１８号公報は、磁気テープ記憶装置の高速位置付け方法を提案している。
【００１６】
この方法においては、先ず、磁気テープの位置情報と記録データの区切情報との対応テーブルを作成し、この対応テーブルを参照して、位置づけを行う。例えば、磁気テープ上のデータブロック及びテープマークの論理番号、データブロック及びテープマークの磁気テープ上の物理的な位置を示す物理番号、及び、データブロックがテープマークか否かを示すフラグ情報を対応づけたテーブルを作成し、磁気テープに記録する。ロード時にメモリ上にテーブルを展開し、任意の論理番号のデータブロックに位置付けする際に、テーブルを参照して論理番号またはフラグ情報から目的のデータブロックの磁気テープ上の物理番号を得て、目的のデータブロックまで高速に位置付ける。
【００１７】
しかしながら、この方法によれば、予め所定のテーブルを作成しなければならず、また、作成したテーブルを磁気テープからメモリに記憶させるため、メモリの容量としては大容量を必要とする。
【００１８】
本発明は以上のような従来の光ディスク再生方法または光ディスク再生装置における問題点に鑑みてなされたものであり、ＲＡＭ容量の小さいマイクロコンピュータであっても、ＴＯＣ情報に基づいて、短時間に曲の頭出し動作を行うことができる光ディスク再生方法及び光ディスク再生装置を提供することを目的とする。
【００１９】
【課題を解決するための手段】
この目的を達成するため、本発明のうち、請求項１は、光ディスクに記録されている曲の記録開始位置情報であるＴＯＣ情報を読み出し、曲の頭出し動作を行う光ディスク再生装置において、前記ＴＯＣ情報の曲番号を単位時間ごとにビット単位で記憶し、ビット単位で記憶された前記ＴＯＣ情報を用いて、曲の頭出し動作を行うことを特徴とする光ディスク再生装置を提供する。
【００２０】
例えば、単位時間としては、１分または３０秒を選択することができる。
【００２１】
また、請求項４は、光ディスクに記録されている曲の記録開始位置情報であるＴＯＣ情報を読み出し、曲の頭出し動作を行う光ディスク再生装置において、前記ＴＯＣ情報の曲番号を単位トラック数ごとにビット単位で記憶し、ビット単位で記憶された前記ＴＯＣ情報を用いて、曲の頭出し動作を行うことを特徴とする光ディスク再生装置を提供する。
【００２２】
請求項５は、光ディスクを回転駆動する回転駆動手段と、前記光ディスクに記録されている記録情報を読み取る光ピックアップと、前記光ピックアップを前記光ディスク上の所望の位置に移動させる中央処理装置と、前記記録情報に含まれるＴＯＣ情報を記憶する記憶媒体と、からなる光ディスク再生装置であって、前記中央処理装置は、前記ＴＯＣ情報の曲番号を単位時間ごとにビット単位で前記記憶媒体に記憶し、前記ＴＯＣ情報に基づいて、前記光ピックアップを移動させ、曲の頭出し動作を行うものである光ディスク再生装置を提供する。
【００２３】
また、請求項６は、光ディスクに記録されている曲の記録開始位置情報であるＴＯＣ情報の曲番号を単位時間ごとにビット単位で記憶する過程と、前記ＴＯＣ情報を読み出す過程と、読み出した前記ＴＯＣ情報に基づいて、曲の頭出し動作を行う過程と、を備える光ディスク再生方法を提供する。
【００２４】
請求項７は、光ディスクに記録されている曲の記録開始位置情報であるＴＯＣ情報の曲番号を単位トラック数ごとにビット単位で記憶する過程と、前記ＴＯＣ情報を読み出す過程と、読み出した前記ＴＯＣ情報に基づいて、曲の頭出し動作を行う過程と、を備える光ディスク再生方法を提供する。
【００２５】
請求項８は、曲番号カウンタに光ディスクの開始曲番号を設定する過程と、分カウンタをリセットする過程と、ＴＯＣ情報の記憶領域であるビット列を０で埋める過程と、ビット列の位置を示すビットポインタをリセットする過程と、前記ＴＯＣ情報の曲番号と前記曲番号カウンタとを比較し、双方が一致した場合には、前記ビットポインタをインクリメントする過程と、前記ＴＯＣ情報の分情報と前記分カウンタとを比較し、双方が一致した場合には、前記ビット列に１を設定し、その単位時間内に曲があることを示す過程と、前記曲番号カウンタをインクリメントする過程と、を備える光ディスクの再生方法を提供する。
【００２６】
請求項９は、選曲すべき曲番号が与えられたときに、光ディスクの開始曲番号を曲番号カウンタに設定する過程と、分カウンタに０分を示す０を設定する過程と、ビット列の位置を示すビットポインタを０にする過程と、前記ビットポインタをインクリメントし、前記ビットポインタにより示されるビット列の内容を確認する過程と、前記ビット列が単位時間内に曲が存在することを示している場合には、選曲番号と前記曲番号カウンタが示す曲番号とを比較する過程と、前記選曲番号と前記曲番号カウンタ示す曲番号とが一致した場合、その時点における前記分カウンタの内容を選曲した曲に対するＴＯＣ情報として取り出す過程と、を備える光ディスクの再生方法を提供する。
【００２７】
【発明の実施の形態】
図１は、本発明の第一の実施形態に係る光ディスク再生装置のブロック図である。
【００２８】
本実施形態に係る光ディスク再生装置は、コンパクトディスク（ＣＤ）１を回転駆動するモーター２と、ＣＤ１に記録されている記録情報を読み取る光ピックアップ３と、光ピックアップ３を駆動するドライバー回路４と、モーター２を駆動制御するドライバー回路５と、光ピックアップ３から読み出された信号を処理する信号処理回路６と、信号処理回路６から出力信号を受信し、二つのドライバー回路４、５を制御するマイクロコンピュータ７と、マイクロコンピュータ７に所定のデータを入力する入力装置８と、からなる。
【００２９】
マイクロコンピュータ７は、信号処理回路６及び入力装置８からの信号を受信し、ドライバー回路４及び５に駆動信号を発信する入出力回路９と、入出力回路９から各種情報を受信し、情報処理を行う中央処理装置（ＣＰＵ）１１と、ＣＰＵ１１に対する処理手順を示すプログラムが記憶されているＲＯＭ１０と、ＣＰＵ１１を介して再生位置やＴＯＣ情報などを記憶するＲＡＭ１２と、を備えている。
【００３０】
本実施形態に係る光ディスク再生装置において、ＣＤ１はモーター２により回転駆動される。モーター２の安定した回転駆動はドライバ回路５によるサーボ制御により保たれる。
【００３１】
ＣＤ１の記録情報は光ピックアップ３により読み取られる。光ピックアップ３はドライバ回路４によるサーボ制御により、ＣＤ１の任意の位置に移動することができる。
【００３２】
信号処理回路６は、光ピックアップ３から読み出された信号をアナログ信号に変換し、オーディオ出力を行う。また、信号処理回路６は、光ピックアップ３から読み出された信号からサーボエラー信号とサブコード信号とをマイクロコンピュータ７に与える。マイクロコンピュータ７は、信号処理回路６からのサーボエラー信号に基づいて、ドライバー回路４、５に対して駆動信号を与える。
【００３３】
また、マイクロコンピュータ７は、信号処理回路６からのサブコード信号に含まれる再生位置情報やＴＯＣ情報をＲＡＭ１２に記憶し、入力装置８から与えられる目標曲番号などから任意の位置に光ピックアップ３を移動させることができる。
【００３４】
ＣＤ１は、ＴＯＣ情報が記録された、ＣＤ１の内周側に位置するリードイン領域１３と、音楽情報が記録された、リードイン領域１３の外側に位置するプログラム記録領域１４と、を備える。
【００３５】
図２はＴＯＣ情報の記憶構成を示す。ＴＯＣ構成２０はリードイン領域１３に記録されているＴＯＣ情報のデータ構成を示す。
【００３６】
各データは１バイト（８ビット）単位で記録されている。
【００３７】
トラックナンバー２１には、リードイン領域１３であることを示す００が記録されている。
【００３８】
ポイント２２には、曲番号が記録されている。
【００３９】
分データ２３には、曲番号に対する開始位置の００から７４までの分情報が記録されている。
【００４０】
秒データ２４には、曲番号に対する開始位置の００から５９までの秒情報が記録されている。
【００４１】
フレームデータ２５には、曲番号に対する開始位置の００から７４までのフレーム情報が記録されている。
【００４２】
リードイン領域１３には、プログラム記録領域１４に収められた曲の全ての開始位置情報と開始曲番号、最終曲番号、最終曲の終了位置のＴＯＣ情報形式２０で示すＴＯＣ情報とが繰り返し記録されている。
【００４３】
ＴＯＣ情報２６はＴＯＣ構成２０の分情報のみを抽出したデータの例である。
【００４４】
従来の方法では、ＴＯＣ情報２６の曲番号を記憶アドレスとして、１バイト単位でＲＡＭ１２に分情報を記憶していた。ビット列２７はＴＯＣ情報２６の分情報を分ごとのビット情報に置き換えたビット列である。このビット列２７は、ＲＡＭ１２に記憶される。
【００４５】
以下、図１および図２を参照して、本実施形態に係る光ディスク再生装置の動作について説明する。
【００４６】
本実施形態に係る光ディスク再生装置は、ＣＤ１が装填されると、マイクロコンピュータ７はドライバー回路４を介して光ピックアップ３をリードイン領域１３へ移動させる。
【００４７】
次いで、マイクロコンピュータ７はＣＤ１からＴＯＣ情報を取り込み、このＴＯＣ情報をビット列２７に変換し、このビット列２７をＲＡＭ１２に記憶する。
【００４８】
入力装置８を介して選曲したい曲番号が入力されると、ＣＰＵ１１はＲＡＭ１２に記憶したビット列２７から、選曲した曲番号のＴＯＣ情報を読み出し、ドライバー回路４に駆動信号を与え、光ピックアップ３を移動させる。
【００４９】
次いで、図３を参照して、ＴＯＣ情報の取込み動作を説明する。
【００５０】
ＣＤ１が装填されると、ＴＯＣ情報の読込のための初期化が行われる。初期化動作は、まず、曲番号カウンタにＣＤ１の開始曲番号を設定する（ステップＡ１）。
【００５１】
次に、分カウンタに０分を示す０を設定する（ステップＡ２）。
【００５２】
次に、ＴＯＣ情報の記憶領域であるビット列を０で埋める（ステップＡ３）。
【００５３】
次に、ビット列の位置を示すビットポインタを０にする（ステップＡ４）。
【００５４】
ＴＯＣ構成２０のＴＯＣ情報が取り込まれる毎に、以下に示すように、ステップＡ５からステップＡ１０が実行される。
【００５５】
先ず、ＴＯＣ情報の曲番号と曲番号カウンタとを比較する（ステップＡ５）。
【００５６】
この比較の結果、ＴＯＣ情報の曲番号と曲番号カウンタとが一致しない場合は（ステップＡ５のＮＯ）、次のＴＯＣ情報が取り込まれるまで待つ。
【００５７】
ＴＯＣ情報の曲番号と曲番号カウンタとが一致した場合は（ステップＡ５のＹＥＳ）、ビットポインタをインクリメントする（ステップＡ６）。
【００５８】
次いで、ＴＯＣ情報の分情報と分カウンタとを比較する（ステップＡ７）。
【００５９】
ＴＯＣ情報の分情報と分カウンタとが一致しなかった場合（ステップＡ７のＮＯ）、分カウンタをインクリメントした後（ステップＡ８）、ビットポインタをインクリメントし（ステップＡ６）、ＴＯＣ情報の分情報と分カウンタとの比較を再度行う（ステップＡ７）。
【００６０】
ＴＯＣ情報の分情報と分カウンタとが一致した場合（ステップＡ７のＹＥＳ）、ビットポインタで示すビット列に１を設定する（ステップＡ９）。ここで、ビット列に１を設定することは、その時間単位内に曲があることを示す。
【００６１】
次いで、次の比較のために曲番号カウンタをインクリメントする（ステップＡ１０）。
【００６２】
次いで、図４を参照して、記憶したＴＯＣ情報を使った選曲動作について説明する。
【００６３】
入力装置８を介して、選曲したい曲番号が与えられると、マイクロコンピュータ７は選曲動作を開始する。
【００６４】
先ず、曲番号カウンタにＣＤ１の開始曲番号を設定する（ステップＢ１）。
【００６５】
次に、分カウンタに０分を示す０を設定する（ステップＢ２）。
【００６６】
次に、ビット列の位置を示すビットポインタを０にする（ステップＢ３）。
【００６７】
さらに、ビットポインタをインクリメントした後（ステップＢ４）、ビットポインタで示すビット列の内容を確認する（ステップＢ５）。すなわち、ビット列が０であるか、あるいは、１であるかを確認する。
【００６８】
ビット列が０である場合には、その時間単位内に曲が存在しないことを意味し、分カウンタとビットポインタとをインクリメントした後（ステップＢ６、Ｂ４）、ビット列が０または１の何れであるかの確認を再度行う（ステップＢ５）。
【００６９】
ステップＢ５における確認の結果、ビット列が１であることが確認された場合には、その単位時間内に曲が存在することを意味する。このため、選曲番号と曲番号カウンタとを比較する（ステップＢ７）。
【００７０】
選曲番号と曲番号カウンタとが一致しなかった場合（ステップＢ７のＮＯ）、曲番号カウンタをインクリメントした後（ステップＢ８）、ステップＢ４へ戻る。
【００７１】
選曲番号と曲番号カウンタとが一致した場合（ステップＢ７のＹＥＳ）には、その時点における分カウンタの内容が選曲した曲に対するＴＯＣ情報となる。
【００７２】
図５は、本発明の第二の実施形態に係る光ディスク再生装置に使用されるＴＯＣ構成２０Ａを示す。
【００７３】
上述の第一の実施形態においては、ビット列２７の各ビットの単位時間を１分ごととしていたが、本実施形態においては、ＴＯＣ情報の秒データ２４を利用し、ビット列２７の各ビットの単位時間を３０秒ごとに設定している。
【００７４】
このときの記憶領域は１枚のＣＤに対して２４９ビット（９９曲＋７５分×２）つまり３２バイト必要であるが、ＴＯＣ情報量が増えているため、曲の頭出し動作を素早く行うことができる。
【００７５】
図６は、本発明の第三の実施形態に係る光ディスク再生装置に使用されるＴＯＣ構成２０Ｂを示す。
【００７６】
本実施形態においては、ビット列２７の各ビットの単位を時間ではなく、トラック数を用いている。すなわち、ビット列２７の各ビット単位をＴＯＣ情報の分データ２３、秒データ２４、フレームデータ２５よりトラック数に変換し、２００トラック単位で記憶している。
【００７７】
このときの記憶領域は１枚のＣＤに対して２０９ビット（９９曲＋（最外周のトラック数（２１９０７）−最内周のトラック数（１５））／２００）つまり２７バイトである。
【００７８】
光ピックアップ３の移動量はトラック数で指定する。ＣＤ１は線速度一定で記録されているため、単位時間あたりのトラック数が、ディスクの内周側と外周側とで異なる。
【００７９】
本実施形態においては、トラック数単位で記憶するため、光ピックアップ３の位置に関係なく、光ピックアップ３を同じスピードで移動させることができる。
【００８０】
【発明の効果】
本発明に係る光ディスク再生装置及び光ディスク再生方法においては、ＴＯＣ情報を単位時間ごとビット単位で記憶する。このため、従来技術のように、曲ごとにバイト単位で記憶する方法と比べて、同じ情報量に対してマイクロコンピュータのＲＡＭ領域をわずかしか使用せず、残った領域を有効に使用することができる。
【００８１】
例えば、同じ分情報を記憶する場合、従来技術では１枚のＣＤに対して９９バイト（９９曲×１分）の記憶領域を確保しなければならない。
【００８２】
これに対して、本発明によれば、曲番号を１分ごとビット単位で記憶することにより、１枚のＣＤに対して１７４ビット（９９曲＋７５分）つまり２２バイトの記憶領域しか占有しない。
【００８３】
すなわち、本発明によれば、先行技術で最低必要とするＲＡＭ領域の約２／９の領域で同精度のＴＯＣ情報を記憶することができる。
【００８４】
以上のように、本発明によれば、ＴＯＣ情報に割り当てるマイクロコンピュータのＲＡＭ領域を少なくすることができる。
【００８５】
この効果に起因して、本発明は、さらに、次のような効果をも奏する。
【００８６】
第１の効果は、ＲＡＭ容量の小さなマイクロコンピュータであっても、ＴＯＣ情報を用いて、短時間で曲の頭出し動作を行うことができることである。その理由は、ＣＤに記録された全ての曲の開始位置情報をマイクロコンピュータのＲＡＭ内に記憶できるからである。
【００８７】
第２の効果は、ＣＤチェンジャーなどの複数のＣＤを扱うシステムにおいて、異なるＣＤ間の頭出し動作を短時間でできることである。その理由は、１度ＴＯＣ情報を記憶したＣＤに対しては、ＴＯＣ情報を読み出すための光ピックアップ移動処理が必要ないからである。
【００８８】
第３の効果は、従来の１バイトごとＴＯＣ情報を記憶する方法に比べて、同じＲＡＭ容量に対しての情報量が多く、頭出し動作の精度を向上させることができる。
【００８９】
例えば、ＴＯＣ記憶領域として９９バイトのＲＡＭ容量が与えられたとき、従来方法では分単位までの情報しか記憶できないが、本発明によれば、１ビットに１／８分（７．５秒）単位で記憶することにより、８８バイト（７５分×８＋９９）に対して７．５秒単位の情報を記憶することができる。
【図面の簡単な説明】
【図１】本発明の第一の実施形態に係る光ディスク再生装置のブロック図である。
【図２】本発明の第一の実施形態に係る光ディスク再生装置におけるＴＯＣ情報の記憶構成を示す概略図である。
【図３】ＴＯＣ情報の取込み動作を示すフローチャートである。
【図４】記憶したＴＯＣ情報を用いて行う選曲動作のフローチャートである。
【図５】本発明の第二の実施形態に係る光ディスク再生装置におけるＴＯＣ情報の記憶構成を示す概略図である。
【図６】本発明の第三の実施形態に係る光ディスク再生装置におけるＴＯＣ情報の記憶構成を示す概略図である。
【図７】従来の光ディスク再生装置におけるＲＡＭの記憶構成を示す概略図である。
【図８】従来の光ディスク再生装置におけるＲＡＭの別の記憶構成を示す概略図である。
【符号の説明】
１  ＣＤ
２  モーター
３  光ピックアップ
４  光ピックアップ用ドライバー回路
５  モーター用ドライバー回路
６  信号処理回路
７  マイクロコンピュータ
８  入力装置
９  入出力回路
１０  ＲＯＭ
１１  ＣＰＵ
１２  ＲＡＭ
１３  リードイン領域
１４  プログラム記録領域
２０  ＴＯＣ構成
２１  トラックナンバー
２２  ポイント
２３  分データ
２４  秒データ
２５  フレームデータ
２６  ＴＯＣ情報
２７  ビット列
【図１】
0003555938.tif 000002
【図２】
0003555938.tif 000003
【図３】
0003555938.tif 000004
【図４】
0003555938.tif 000005
【図５】
0003555938.tif 000006
【図６】
0003555938.tif 000007
【図７】
0003555938.tif 000008
【図８】
0003555938.tif 000009